(57)【特許請求の範囲】
【請求項１】
整地板本体１を水田の灌漑水面Ｓに吃水させて移動して整地を行うために、トラクターなどの牽引車Ｔの後部Ｒに配設される牽引機構であって、
前記整地板本体１の起立板11には掛止板12・12が左右対称に付設されており、各掛止板12には少なくとも複数の調節孔12ａ・12ａ…が上下方向に並設されている一方、
前記牽引車Ｔの後部Ｒには支持ア−ム２が取り付けられており、この支持アーム２には牽引時の衝撃振動を緩衝せしめる緩衝部材21を備えており、
支持アーム２の先端側に連結部材３を接続して整地板本体１を牽引する際に、支持ア−ム２において連結部材３の掛止位置を調節して連結部材３が略水平に張架されるように整地板本体１と支持ア−ム２とを連結して当該整地板本体１を牽引することができるように構成したことを特徴とする代掻用整地板の牽引機構。
【請求項２】
支持ア−ム２の先端側には牽引板22が取り付けられており、この牽引板22には少なくとも複数の掛止孔22ａ・22ａ…が上下方向に並設されており、これらの掛止孔22ａに対して連結部材３を接続することによって先端側の灌漑水面Ｓからの高さを変えて、掛止された連結部材３の位置を調節して略水平に連結して整地板本体１を牽引することができるように構成したことを特徴とする請求項１記載の代掻用整地板の牽引機構。
【請求項３】
支持ア−ム２は牽引車Ｔの後部Ｒに支承されて揺動式に取り付けられており、整地板本体１を略水平に連結して牽引することができ、支持アーム２の揺動によって先端側の灌漑水面Ｓからの高さを変えて、掛止された連結部材３の位置を調節して略水平に連結して整地板本体１を牽引することができるように構成したことを特徴とする請求項１または２記載の代掻用整地板の牽引機構。
【請求項４】
支持ア−ム２は軸方向に伸縮自在に形成されており、この伸縮運動によって先端側の灌漑水面Ｓからの高さを変えて、掛止された連結部材３の位置を調節して略水平に連結して整地板本体１を牽引することができるように構成したことを特徴とする請求項１〜３の何れか一つに記載の代掻用整地板の牽引機構。
【発明の詳細な説明】
【０００１】
【発明の属する技術分野】
本発明は、代掻用整地板の高効率的な牽引機構に関するものであり、更に詳しくは、牽引車の牽引力を代掻用整地板に確実に伝達することができ、硬めの土壌を均す場合でもガタつきを抑えて安定的に牽引することができる代掻用整地板の牽引機構に関するものである。
【０００２】
【従来の技術】
田植えの前作業には灌漑水下の砕土均平作業として代掻を行うが、従来、この代掻用具には長尺の丸太を用いており、これをトラクターで引きずって代掻を行っていた。このため、丸太の端部が畦に衝突して破壊してしまったり、田圃の隅々まで満足のゆく状態に整地できなかったりするという種々の問題があった。
【０００３】
そこで、本件出願人は、嘗て、図２に示したような代掻用整地板（実用新案登録第１９８７５９９号公報参照）を考案して上記の問題を解決し、畦を破壊することなく田圃の隅々まで代掻作業が行えるようになり、大きな成果を上げた。
【０００４】
更にまた、本件出願人は代掻を行う田圃の土壌の硬さ状態や代掻の目的によって代掻の深さを調節して均平に整地するために、代掻用整地板および代掻整地板キャリアを提案し（特開平９−１９１７０７号公報参照）、異なる代掻深さにも各々対応できるようになった。
【０００５】
しかしながら、この代掻用整地板キャリアを使用して整地板を牽引する場合、連結部材を斜設させているためにトラクターなどの牽引車による牽引力が垂直方向と水平方向に分散してしまい、硬めの土壌に引っ掛かってしまった場合に整地板後部が持ち上がって前倒しになって整地ができなくなったり、整地板後部がバタバタと振動したり、支持部材あるいはチェーンなどの連結部材が牽引車の後部のハロー（ｈａｒｒｏｗ：馬鍬）やリアカバーなどにぶつかったりして騒音を出したり破損の原因になるおそれがあった（図６参照）。
【０００６】
【発明が解決しようとする課題】
本発明は、代掻用整地板を牽引する際に上記のような不都合があったことに鑑みて為されたものであり、その目的とするところは、牽引車の牽引力を代掻用整地板に確実に伝達することができ、硬めの土壌を均す場合でもガタつきを抑えて安定的に牽引することができる代掻用整地板の牽引機構を提供することにある。
【０００７】
【課題を解決するための手段】
本発明者が上記課題を解決するために採用した手段を添附図面を参照して説明すれば次のとおりである。
【０００８】
即ち、本発明は、整地板本体１を水田の灌漑水面Ｓに吃水させて移動して整地を行うために、トラクターなどの牽引車Ｔの後部Ｒに配設される牽引機構であって、
前記整地板本体１の起立板11には掛止板12・12が左右対称に付設されており、各掛止板12には少なくとも複数の調節孔12ａ・12ａ…が上下方向に並設されている一方、
前記牽引車Ｔの後部Ｒには支持ア−ム２を取り付け、この支持アーム２には牽引時の衝撃振動を緩衝せしめる緩衝部材21を備えており、
支持アーム２の先端側に連結部材３を接続して整地板本体１を牽引する際に、支持ア−ム２において連結部材３の掛止位置を調節して連結部材３が略水平に張架されるように整地板本体１と支持ア−ム２とを連結して当該整地板本体１を牽引することができるように構成するという技術的手段を採用した。
【０００９】
また、本発明は、上記課題を解決するために、必要に応じて上記手段に加え、支持ア−ム２の先端側には牽引板22を取り付け、この牽引板22には少なくとも複数の掛止孔22ａ・22ａ…を上下方向に並設し、これらの掛止孔22ａに対して連結部材３を接続することによって先端側の灌漑水面Ｓからの高さを変えて、掛止された連結部材３の位置を調節して略水平に連結して整地板本体１を牽引することができるように構成するという技術的手段を採用した。
【００１０】
更にまた、本発明は、上記課題を解決するために、必要に応じて上記手段に加え、支持ア−ム２は牽引車Ｔの後部Ｒに支承されて揺動式に取り付け、整地板本体１を略水平に連結して牽引することができ、支持アーム２の揺動によって先端側の灌漑水面Ｓからの高さを変えて、掛止された連結部材３の位置を調節して略水平に連結して整地板本体１を牽引することができるように構成するという技術的手段を採用した。
【００１１】
更にまた、本発明は、上記課題を解決するために、必要に応じて上記手段に加え、支持ア−ム２は軸方向に伸縮自在に形成し、この伸縮運動によって先端側の灌漑水面Ｓからの高さを変えて、掛止された連結部材３の位置を調節して略水平に連結して整地板本体１を牽引することができるように構成するという技術的手段を採用した。
【００１２】
【発明の実施の形態】
本発明の実施形態を具体的に図示した図面に基いて更に詳細に説明すると次のとおりである。
【００１３】
『第１実施形態』
本発明の第１実施形態を図１から図３に基いて説明する。図中、符号１で指示するものは整地板本体であり、この整地板本体１は、水田の灌漑水に吃水させて移動して整地を行うものである。図２はその全体斜視図であって、木製の長尺平板の前縁に起立板11が固設してあり、その中央部において２つ折りに折畳み可能となるように右辺11ａと左辺11ｂとを蝶番を介して締め金具によって固定してある。
【００１４】
そして、前記起立板11の前縁には一対の平板状の掛止板12・12が留め具にて左右対称に付設してあり、これら各掛止板12には３個の調節孔12ａが上下方向に一列に並んで穿設してある。
【００１５】
また、長尺平板の両側には翼板13・13がそれぞれヒンジ連結してあり、内側へのみ退避可能となっている。各翼板13は復帰バネ13ａを介して拡開方向へ引張付勢してあり、常態において整地板本体１の両側前方へ斜出状態に張り出させてある。そして、両翼板13の先端には弾性クッション部材13ｂがそれぞれ付設してあり、その先端部分が内側に反曲してソリ形状を成している。
【００１６】
符号２で指示するものは支持アームであり、この支持アーム２はトラクターなどの牽引車Ｔの後部Ｒに取り付ける部材であって、牽引時の衝撃振動を緩衝せしめる緩衝部材21を備えている。
【００１７】
また、符号３で指示するものは連結部材であり、この連結部材３は鎖状のチェーンであって、端部のそれぞれにフックまたはシャックルが配設されており、上記の整地板本体１と牽引車Ｔの後部Ｒとを連結するものである。
【００１８】
しかして、本実施形態における牽引機構は、支持アーム２の先端側に連結部材３を接続して整地板本体１を牽引する際に、支持ア−ム２において連結部材３の掛止位置を調節して連結部材３が略水平に張架されるように整地板本体１と支持ア−ム２とを連結することによって、牽引車Ｔの牽引力を確実に伝達し、かつ、安定的に整地板本体１を牽引することができるように構成したものである。
【００１９】
本実施形態では、支持ア−ム２の先端側に牽引板22を取り付けており、この牽引板22には少なくとも複数の掛止孔22ａ・22ａ…が上下方向に並設されており（本実施形態では３つ）、これらの掛止孔22ａの何れかに対して連結部材３を接続する。
【００２０】
この際、上記のように構成された２本の支持アーム２・２に接続された連結部材３・３を用いて、フックを整地板本体１の調節孔12ａに掛止し、前記後部Ｒにボルトなどで固定することにより、整地板本体１と牽引車Ｔの後部Ｒとを簡単かつ確実に連結することができ、支持アーム２の先端側の灌漑水面Ｓからの高さを変えて、掛止された連結部材３の位置を調節して略水平になるように連結して整地板本体１を牽引することができる。
【００２１】
そして、整地板本体１の掛止板12における下部を掛止して牽引することによって、その掛止位置から均すべき土壌に対するモーメントが小さくなり、かつ、連結部材３が略水平になるようにして牽引するので、牽引力が確実に伝達して作用して、硬い土壌に当たっても、引っ掛かりに対する抗力が大きくなり、整地板本体１が浮き上がったりしてバタつくことがないのである。
【００２２】
また、支持アーム２には図３に示すような緩衝部材21が配設されており、この緩衝部材21は牽引時の支持アーム２の振動衝撃によるバタつきを抑えるものであり、当接面にはゴム体21ａなどを配設して、牽引車Ｔの後部Ｒのハローなどに固定するか、または、完全に固定しなくとも支持アーム２の自重のみで衝止するように構成する。本実施形態においては調節ナットによって取付位置の調節が可能である。
【００２３】
『第２実施形態』
次に、本発明の第２実施形態について図４に基づいて説明する。本実施形態では、支持ア−ム２が牽引車Ｔの後部Ｒに支承されて揺動式に取り付けられているところが第１実施形態と異なる点である。そして、本実施形態においても、支持アーム２を揺動手段によって揺動することによって先端側を上下方向に移動して灌漑水面Ｓからの高さを変えて、掛止された連結部材３の位置を調節して略水平に連結して整地板本体１を牽引することができる。
【００２４】
また、本実施形態における揺動手段として、油圧モーターなどの駆動源から成る揺動装置を採用することができる。
【００２５】
『第３実施形態』
次に、本発明の第３実施形態について図５に基づいて説明する。本実施形態では、支持ア−ム２が軸方向に伸縮自在に形成されており、この伸縮運動によって先端側の灌漑水面Ｓからの高さを変えることができる。
【００２６】
本実施形態においても、第１実施形態および第２実施形態と同様に、支持アーム２において掛止された連結部材３の位置を調節して略水平に連結して整地板本体１を牽引することができるので、同様の効果が得られる。
【００２７】
本発明は概ね上記のように構成されるが、本発明は図示の実施形態に限定されるものでは決してなく、「特許請求の範囲」の記載内において種々の変更が可能であって、例えば、整地板本体１の長尺平板には木製のものを採用したが、アルミニウム製あるいは表面にアルマイト加工せしめたものを採用することも可能であり、平板のソリの防止や牽引時の土壌の付着を減少することができ、よりスムースで高効率な牽引作業を行うことができる。
【００２８】
また、整地板本体１の掛止板12を上方に延設して調節孔12ａを３個以上の穿設することによって、より多段階に調節ができる。更にまた、緩衝部材21を伸縮式に構成したり、ゴム材をコイルバネ部材に変更することも可能であって、これら何れの変更態様も本発明の技術的範囲に属することは言うまでもない。
【００２９】
【発明の効果】
以上、実施形態をもって説明したとおり、本発明においては、上下方向に複数個の調節孔を有する掛止板を整地板本体に付設しており、かつ、支持アームの位置を調節して連結部材を略水平にして牽引することによって、牽引車の牽引力を確実に伝達することができる。
【００３０】
従って、硬めの土壌を均す場合でも、引っ掛かって整地板後部が持ち上がって前倒しになって整地ができなくなったり、整地板後部がバタバタと振動したり、支持部材あるいはチェーンなどの連結部材が牽引車の後部のハローやリアカバーなどにぶつかったりして騒音を出したり、破損の原因になるおそれがなく、安定的に牽引することができて作業能率を大幅に向上できることから、代掻作業における実用価値は頗る大である。
【図面の簡単な説明】
【図１】本発明の第１実施形態の牽引機構を表わす説明図である。
【図２】本発明の実施形態における整地板本体を表わす斜視図である。
【図３】本発明の実施形態における緩衝部材を表わす斜視図である。
【図４】本発明の第２実施形態の牽引機構を表わす説明図である。
【図５】本発明の第３実施形態の牽引機構を表わす説明図である。
【図６】従来の牽引機構を表わす説明図である。
【符号の説明】
１    整地板本体
11  起立板
11ａ  右辺
11ｂ  左辺
12  掛止板
12ａ  調節孔
13  翼板
13ａ  復帰バネ
13ｂ  弾性クッション材
２    支持ア−ム
21  緩衝部材
21ａ  ゴム材
22  牽引板
22ａ  掛止孔
３    連結部材
Ｓ    灌漑水面
Ｔ    牽引車
Ｒ    （牽引車の）後部
【図１】
0004776118.tif 000002
【図２】
0004776118.tif 000003
【図３】
0004776118.tif 000004
【図４】
0004776118.tif 000005
【図５】
0004776118.tif 000006
【図６】
0004776118.tif 000007